(57)【要約】【課題】遊技に意外性を持たせ、興趣に富んだ弾球遊技機を提供する。【解決手段】遊技領域に始動入賞装置１６を設ける。始動入賞装置１６を入賞口２２と、入賞口２２の球出口２８の下方に設けられたバンク通路２４とから構成する。球出口２８をパチンコ球１３の直径よりも大きく形成する。バンク通路２４（流下面３２）を中心軸Ｃ周りに螺旋形状に形成し、その流下面３２を中心軸Ｃに向かって下り傾斜にする。バンク通路２４に沿って第１〜第３始動入賞センサ２６ａ〜２６ｃを設ける。各始動入賞センサ２６ａ〜２６ｃをパチンコ球１３が通過したときに電子抽選を行う。パチンコ球１３の流下面３２への落下位置が変化することで、電子抽選の回数が変化する。これにより、遊技に意外性を持たせ、遊技への興趣を高めることができる。【選択図】図２
2008167923.tif 000002
【特許請求の範囲】
【請求項１】
遊技球が流下する遊技領域に設けられた遊技球通過部と、
前記遊技球通過部の下方に設けられ、鉛直方向に延びる中心軸周りで弧を描くように形成されるとともに、前記遊技球の流下面が前記中心軸に向けて下り傾斜とされ、前記流下面の幅が前記遊技球の直径よりも大きいバンク通路と、
前記流下面の所定位置に配置され、前記バンク通路を流下する前記遊技球を検知する検知センサと、
前記検知センサにより前記遊技球の通過を検知したときに、当たり又はハズレを決定する電子抽選を行う電子抽選部とを備えることを特徴とする弾球遊技機。
【請求項２】
前記遊技球通過部は、前記遊技領域を流下する前記遊技球が入球する球入口と、前記球入口の下方に形成された前記遊技球の球出口と、前記球入口より入球した前記遊技球を前記球出口に向けて案内する案内通路部とから構成され、
前記球入口より入球した前記遊技球が前記案内通路部の壁面に衝突したときに、少なくとも前記遊技球の衝突位置、衝突速度を含む衝突条件に応じて、前記球出口を通過後の前記遊技球の落下位置が変化することを特徴とする請求項１記載の弾球遊技機。
【請求項３】
前記球出口は、前記流下面の幅よりも大きく形成されていることを特徴とする請求項２記載の弾球遊技機。
【請求項４】
前記球出口は、前記球入口に対して偏心した位置に形成されていることを特徴とする請求項２または３記載の弾球遊技機。
【請求項５】
前記検知センサは、前記バンク通路に沿って複数設けられており、
前記電子抽選部は、前記遊技球が個々の前記検知センサを通過する度に前記電子抽選を行うことを特徴とする請求項１ないし４いずれか１項記載の弾球遊技機。
【請求項６】
前記バンク通路の前記中心軸側の側端部を第１側端部とし、前記第１側端部とは反対側の側端部を第２側端部としたときに、
前記検知センサは、前記第２側端部から前記流下面に対して略鉛直上方に延びたセンサ支持部と、前記センサ支持部の上端部から前記第１側端部に略対向する位置まで延びたセンサ本体とからなる略Ｌ字型に形成されていることを特徴とする請求項１ないし５いずれか１項記載の弾球遊技機。
【請求項７】
前記流下面は、前記中心軸回りに螺旋状に形成されていることを特徴とする請求項１ないし６いずれか１項記載の弾球遊技機。
【発明の詳細な説明】
【技術分野】
【０００１】
本発明は、遊技球を使用して遊技が行われる弾球遊技機に関するものである。
【背景技術】
【０００２】
本明細書中では弾球遊技機の一例としてパチンコ機を例に挙げて説明しているため、遊技に用いる遊技球としてパチンコ球を用いて説明するが、遊技球としてはパチンコ球以外の他の態様の球も含む。
【０００３】
パチンコ機は、遊技領域に向かって打ち出されたパチンコ球が特定の入賞口に入球した時に当たり又はハズレを決定する電子抽選を行い、当たりが抽選された際には多数の賞球を獲得できる遊技が行える。この電子抽選は１回の入球で１回だけ行われるのが基本であるが、近年、１回の入球で電子抽選を複数回行えるパチンコ機が増加している。
【０００４】
このようなパチンコ機の入賞口として、入球したパチンコ球を遊技領域（遊技盤）に対して垂直な軸回りに転動させるドーナツ状の回動通路と、この回動通路の途中に設けられた検知センサと、回動通路の最下部に形成された排出穴とを有するものが知られている（例えば特許文献１参照）。入賞口に入球したパチンコ球は、回動通路を何周か回った後、排出穴より排出される。この際に、パチンコ球は検知センサを複数回通過する。従って、検知センサによりパチンコ球の通過が検知される度に電子抽選を行うことで、１回の入賞により複数回の電子抽選を行うことができる。これにより、遊技者は、パチンコ球が排出穴から排出されるまで高い期待感を持って遊技を行うことができる。
【特許文献１】特開２００１−３１４６０７号公報
【発明の開示】
【発明が解決しようとする課題】
【０００５】
ところで、上記特許文献１記載のパチンコ機では、入賞口に入球したパチンコ球は回動通路内をただ回るだけの単調な動きしかしない。このため、パチンコ球を観察している遊技者にとって、遊技に意外性を持たせるという点で効果が小さい。その結果、遊技者にすぐに飽きられてしまうという問題があった。
【０００６】
本発明は上記問題を解決するためになされたものであり、遊技に意外性を持たせ、興趣に富んだ弾球遊技機を提供することを目的とする。
【課題を解決するための手段】
【０００７】
本発明は、遊技球が流下する遊技領域に設けられた遊技球通過部と、前記遊技球通過部の下方に設けられ、鉛直方向に延びる中心軸周りで弧を描くように形成されるとともに、前記遊技球の流下面が前記中心軸に向けて下り傾斜とされ、前記流下面の幅が前記遊技球の直径よりも大きいバンク通路と、前記流下面の所定位置に配置され、前記バンク通路を流下する前記遊技球を検知する検知センサと、前記検知センサにより前記遊技球の通過を検知したときに、当たり又はハズレを決定する電子抽選を行う電子抽選部とを備えることを特徴とする。
【０００８】
前記遊技球通過部は、前記遊技領域を流下する前記遊技球が入球する球入口と、前記球入口の下方に形成された前記遊技球の球出口と、前記球入口より入球した前記遊技球を前記球出口に向けて案内する案内通路部とから構成され、前記球入口より入球した前記遊技球が前記案内通路部の壁面に衝突したときに、少なくとも前記遊技球の衝突位置、衝突速度を含む衝突条件に応じて、前記球出口を通過後の前記遊技球の落下位置が変化することが好ましい。
【０００９】
前記球出口は、前記流下面の幅よりも大きく形成されていることが好ましい。また、前記球入口は、前記球出口に対して偏心した位置に形成されていることが好ましい。
【００１０】
前記検知センサは、前記バンク通路に沿って複数設けられており、前記電子抽選部は、前記遊技球が個々の前記検知センサを通過する度に前記電子抽選を行うことが好ましい。
【００１１】
前記バンク通路の前記中心軸側の側端部を第１側端部とし、前記第１側端部とは反対側の側端部を第２側端部としたときに、前記検知センサは、前記第２側端部から前記流下面に対して略鉛直上方に延びたセンサ支持部と、前記センサ支持部の上端部から前記第１側端部に略対向する位置まで延びたセンサ本体とからなる略Ｌ字型に形成されていることが好ましい。
【００１２】
前記流下面は、前記中心軸回りに螺旋状に形成されていることが好ましい。
【発明の効果】
【００１３】
本発明は、遊技球通過部の下方にバンク通路を設けるとともに、このバンク通路の流下面に配置された検出センサにより遊技球の通過が検出されたときのみ電子抽選が行われるようにしたので、遊技球通過部を通過した遊技球が流下面に衝突した位置に応じて、流下面を流下する遊技球が検知センサを通過して電子抽選が行われる場合と、検知センサを通過する前に流下面から落下して電子抽選が行われない場合とが生じる。これにより、遊技に意外性が生じるので、遊技への興趣を大いに高めることができる。
【００１４】
また、球入口より入球した遊技球が案内通路部の壁面に衝突したときの衝突条件に応じて、球出口を通過後の遊技球の落下位置が変化するため、遊技球を流下面（バンク通路）上に落下させたり、流下面（バンク通路）外に落下させたりすることができる。さらに、遊技球の落下位置の変化に応じて、遊技球が流下面に衝突する位置が変化することで、同様に電子抽選が行われる場合と行われない場合とが生じる。その結果、遊技に意外性が生じて、遊技への興趣を大いに高めることができる。
【００１５】
また、球出口を流下面の幅よりも大きく形成するようにしたので、遊技球を流下面上に落下させたり、流下面外に落下させたりすることができる。その結果、同様に遊技に意外性が生じて、遊技への興趣を大いに高めることができる。
【００１６】
また、球出口を球入口に対して偏心した位置に形成することで、両者を偏心させていない場合よりも球出口を通過後の遊技球の落下位置の予測が難しくなる。その結果、同様に遊技に意外性が生じて、遊技への興趣を大いに高めることができる。
【００１７】
また、前記バンク通路に沿って複数の検知センサを設けるようにしたので、遊技球が流下面に衝突した位置に応じて遊技球が検知センサを通過する回数を変化させることができる。その結果、遊技球の衝突位置に応じて複数回の電子抽選を行うことができる。これにより、遊技者は、流下面から遊技球が落下するまで高い期待感を持って遊技を行うことができる。
【００１８】
また、検知センサを略Ｌ字型に形成するようにしたので、流下面の幅方向位置が異なる複数の遊技球がほぼ同時に検知センサを通過した場合などに遊技球が詰まってしまうことが防止される。
【００１９】
また、流下面を螺旋状に形成するようにしたので、流下面を螺旋状に流下する遊技球の動きを遊技者に見せることができる。その結果、同様に遊技への興趣を大いに高めることができる。
【発明を実施するための最良の形態】
【００２０】
図１に示すように、本発明の弾球遊技機であるパチンコ機１０の下方には発射ハンドル１０ａが設けられている。この発射ハンドル１１が回動操作されると、供給皿１２に貯留されたパチンコ球１３（図２参照）が順次に遊技盤１４の前面側の遊技領域１５に打ち出される。打ち出されたパチンコ球１３は遊技領域１５を流下する。
【００２１】
遊技領域１５には、詳しくは後述する始動入賞装置１６、通常入賞口１７、アウト口１８、アタッカ１９などが設けられており、打ち出されたパチンコ球１３はいずれかに入球する。入球しなかったパチンコ球１３（アウト球）は、遊技領域１５の最下部に設けられたアウト口１８から排出されて、パチンコ機１０内に設けられた回収箱（図示せず）などに回収される。なお、図示は省略するが、遊技領域１５には、流下するパチンコ球１３の動きに変化を与える遊技釘などが設けられている。
【００２２】
始動入賞装置１６は、遊技領域１５（遊技盤１４）の略中央部に形成された凹み部１５ａ内に固定されている。この始動入賞装置１６に入球したパチンコ球１３が入賞センサで検知されると、当たり又はハズレを決定する電子抽選が行われる。当たりに当選すると当たりモードに移行し、アタッカ１９が開放される。アタッカ１９が開放されるとその内面でパチンコ球１３の大半が大入賞口（図示せず）に案内され、多数の賞球を得ることができる。
【００２３】
また、遊技領域１５には、電子抽選の結果を表示する図柄表示装置２０が始動入賞装置１６の上方に設けられている。図柄表示装置２０の表示画面には、例えば１列が０〜９の数字からなる３列の図柄が表示される。電子抽選が行われると図柄の変動表示が開始され、図柄が上から下へスクロールする。図柄は１列ずつ順次（例えば左→右→中の順）停止し、全ての図柄が停止したときに同一図柄が揃っていると当たり、それ以外ではハズレとなる。
【００２４】
図２及び図３に示すように始動入賞装置１６は、入賞口２２（遊技球通過部）と、バンク通路２４と、第１〜第３始動入賞センサ２６ａ，２６ｂ，２６ｃ（検知センサ）とから構成される。入賞口２２は、略皿形状に形成されており、遊技領域１５を流下するパチンコ球１３が入球する球入口２７と、球入口２７の鉛直下方に形成された球出口（落下口ともいう）２８と、球入口２７より入球したパチンコ球１３を球出口２８に向けて案内する案内通路部２９とから構成されている。そして、球入口２７より入球したパチンコ球１３は、その入球位置に応じて、球出口２８上に落下してそのまま球出口２８を通過する場合と、案内通路部２９の内壁面２９ａ（壁面）に衝突した後、この内壁面２９ａ（案内通路）に沿って球出口２８に案内されて球出口２８から落下する場合とがある。
【００２５】
球入口２７及び球出口２８は、共にパチンコ球１３の直径Ｄ１よりも十分に大きく形成されており、さらに、球入口２７の開口径Ｄ２は、球出口２８の開口径Ｄ３よりも大きく形成されている。例えば本実施形態では、球入口２７の開口径Ｄ２はパチンコ球１３の直径Ｄ１の約５倍の大きさに形成され、球出口２８の開口径Ｄ３はパチンコ球１３の直径Ｄ１の約３倍の大きさに形成されている。また、本実施形態では、球出口２８は、球入口２７に対して偏心した位置に形成されている。
【００２６】
従来の始動入賞口では、球入口及び球出口の開口径がパチンコ球１３の直径より一回り大きい程度であったので、落下口を通過後のパチンコ球１３の落下位置はほぼ一定であった。これに対して本実施形態では、球入口２７及び球出口２８の開口径Ｄ２，Ｄ３をパチンコ球１３の直径Ｄ１よりも十分に大きく形成している。このため、パチンコ球１３が球入口２７から球出口２８上に落下する場合には、パチンコ球１３の球入口２７への入球位置に応じて、球出口２８を通過後のパチンコ球１３の落下位置が変化する。
【００２７】
また、パチンコ球１３が案内通路部２９の内壁面２９ａに衝突した後、球出口２８から落下する場合には、パチンコ球１３が内壁面２９ａに衝突する際の衝突条件に応じて、球出口２８を通過後のパチンコ球１３の落下位置が変化する。この衝突条件としては、球入口２７より入球したパチンコ球１３が内壁面２９ａに衝突する際の衝突位置、衝突速度などが少なくとも挙げられる。これらが変化すると、パチンコ球１３が内壁面２９ａに沿って球出口２８に進入する際の進入方向や進入速度が変わるため、パチンコ球１３の落下位置が変化する。なお、衝突条件としては、衝突位置及び衝突速度のみに限定されるものではなく、パチンコ球１３が内壁面２９ａに衝突する際の衝突角度なども含まれる。
【００２８】
バンク通路２４は、入賞口２２の球出口２８の下方に設けられており、この球出口２８から落下したパチンコ球１３を受けて転動させる流下面３２を有している。この流下面３２（バンク通路２４）は、鉛直方向（遊技領域１５の上下方向）に延びる中心軸Ｃ（図２参照）周りに螺旋状に形成されており、その上端部３２ａが球出口２８の略鉛直下方に位置している。また、流下面３２（バンク通路２４）は、中心軸Ｃに向かって流下面幅方向（以下単に幅方向という）に下り傾斜とされている。なお、以下の説明では流下面３２（バンク通路２４）の中心軸Ｃ側を内側と呼び、その反対側を外側と呼ぶ。
【００２９】
また、流下面３２の幅Ｗ１は、少なくともパチンコ球１３の直径Ｄ１よりは大きく、且つ入賞口２２の球出口２８の開口径Ｄ３よりは小さく形成されている。本実施形態では流下面２３の幅Ｗ１は、例えばパチンコ球１３の直径Ｄ１の約２倍の大きさに形成されている。なお、本実施形態では、流下面３２の傾斜角度でほぼ一定であり、その幅Ｗ１もほぼ同じ長さに形成されている。
【００３０】
上述したように、入賞口２２の球出口２８の開口径Ｄ３は、バンク通路２４の流下面３２の幅Ｗ１よりも大きく形成されている。このため、球出口２８から落下するパチンコ球１３の落下位置によっては、パチンコ球１３は、流下面３２（バンク通路２４）上に落下せずに、そのままバンク通路２４の中央空間や外側の空間を落下する。このパチンコ球１３は、アウト球として上述のアウト口１８（図１参照）から排出される。
【００３１】
球出口２８から流下面３２（バンク通路２４）上に落下したパチンコ球１３は、流下面３２に沿って流下する。この際に、流下面３２は、中心軸Ｃに向かって下り傾斜とされている。このため、流下面３２上に落下したパチンコ球１３は、その全てが流下面３２の下端部３２ｂに到達することなく、途中で流下面３２からバンク通路２４の中央空間に落下してしまう場合もある。なお、落下したパチンコ球１３は、同様にアウト口１８（図１参照）から排出される。
【００３２】
パチンコ球１３が流下面３２から落下する位置は、基本的には、球出口２８を通過したパチンコ球１３が流下面３２に衝突した位置（以下、流下面上衝突位置という）に応じて変化する。例えば、流下面３２を流下するパチンコ球１３は、その流下速度にもよるが、流下面３２に沿って流下しつつ徐々に内側に移動する。このため、流下面上衝突位置が内側よりの場合には、パチンコ球１３が下端部３２ｂに到達する前に落下する可能性が高い。また、逆に流下面上衝突位置が外側よりの場合には、パチンコ球１３が下端部３２ｂに到達する可能性が高い。従って、パチンコ球１３の流下面上衝突位置に応じて、パチンコ球１３が流下面３２から落下する位置が変化する。
【００３３】
上述の流下面上衝突位置は、球出口２８を通過後のパチンコ球１３の落下位置によって決まる。従って、入賞口２２の形状を調整することで、球入口２７に入球したパチンコ球１３が流下面３２上に落下する確率、流下面３２上に落下したパチンコ球１３が下端部３２ｂに到達する確率、逆にパチンコ球１３が流下面３２の途中で落下する確率を調整することができる。ここで、入賞口２２の形状とは、球入口２７及び落下口３８の形状、位置、及び開口径や、内壁面２９ａの傾斜角度などである。
【００３４】
第１〜第３始動入賞センサ２６ａ，２６ｂ，２６ｃ（検知センサ）は、パチンコ球１３の通過を磁気的に検知するタイプのセンサであり、バンク通路２４に沿って配置されている。各始動入賞センサ２６ａ〜２６ｃの配置は特に限定はされないが、本実施形態では、第１始動入賞センサ２６ａはバンク通路２４（流下面３２）の上端部、第２始動入賞センサ２６ｂはバンク通路２４の中央部、第３始動入賞センサ２６ｃはバンク通路２４の下端部に配置されている。
【００３５】
各始動入賞センサ２６ａ〜２６ｃは同じものであるので、ここでは第１始動入賞センサ２６ａを例に挙げて説明を行う。図４に示すように、第１始動入賞センサ２６ａは、バンク通路２４の外側の側端部２４ａ（第２側端部）から流下面３２に対して略鉛直上方に延びたセンサ支持部３６と、センサ支持部３６の上端部からバンク通路の内側の側端部２４ｂ（第１側端部）に略対向する位置まで延びたセンサ本体３８とからなる略Ｌ字型に形成されている。センサ本体３８は、パチンコ球１３の通過を磁気的に検知すると、検知信号を後述する制御部（図５参照）に向けて出力する。
【００３６】
このようなパチンコ球１３の通過を検知するセンサとしては、従来では門型のセンサがよく使用される。この際に、門型のセンサは、例えば流下面３２の幅方向位置が異なる複数のパチンコ球１３がほぼ同時に通過するような場合に、パチンコ球１３が詰まるおそれがある。これに対して、本実施形態ではセンサが略Ｌ字型に形成されているので、パチンコ球１３が詰まるおそれはない。
【００３７】
図２に示すように、流下面３２（バンク通路２４）上に落下したパチンコ球１３が流下面３２の下端部３２ｂに到達した場合には、パチンコ球１３は第１〜第３始動入賞センサ２６ａ〜２６ｃの全てを通過する。これにより、パチンコ球１３の通過が３回検知される。また、パチンコ球１３が各始動入賞センサ２６ａ〜２６ｃをそれぞれ通過する前に流下面３２から落下した場合には、落下した位置に応じてパチンコ球１３の検知回数が０〜２回になる。従って、本実施形態では、各始動入賞センサ２６ａ〜２６ｃでパチンコ球１３の通過が検知される度に電子抽選を行うようにすることで、パチンコ球１３の流下面上衝突位置に応じて電子抽選を０〜３回行うことができる。
【００３８】
図５に示すように、パチンコ機１０は制御部５０を備えている。この制御部５０は、メモリ５２に格納された遊技の制御プログラムに従ってアタッカ１９の開閉制御、図柄表示装置２０での表示制御などパチンコ機１０の全体の動作を制御する。
【００３９】
上述したように第１〜第３始動入賞センサ２６ａ〜２６ｃは、流下面３２を流下するパチンコ球１３の通過を検知する。通常入賞センサ５４は、通常入賞口１７に入球したパチンコ球１３を検知する。特別入賞センサ５６は、アタッカ１９が開放した時に出現する大入賞口（図示せず）に入球したパチンコ球１３を検知する。
【００４０】
賞球払い出し装置５８は、各センサでパチンコ球１３が検知されたときに制御部５０からコマンドを受けて規定数のパチンコ球１３を賞球として払い出す。遊技球発射装置６０は、遊技者の発射ハンドル１１の回動操作に応答して遊技領域１５にパチンコ球１３を１球ずつ発射する。パチンコ球１３の発射強さは発射ハンドルの回動量に応じて調節される。アタッカ駆動装置６２は、当たりモードでアタッカ１９を開閉する。
【００４１】
電子抽選部６４は、第１〜第３始動入賞センサ２６ａ〜２６ｃのいずれからパチンコ球１３の検知信号が制御部５０に入力されたときに、制御部からコマンドを受けて乱数を利用した電子抽選（当たり抽選）を行い、当たり又はハズレを決定する。従って、流下面３２を流下するパチンコ球１３が各始動入賞センサ２６ａ〜２６ｃをそれぞれ通過するか否かで電子抽選が０〜３回行われる。
【００４２】
また、電子抽選部６４は、例えば第１始動入賞センサ２６ａでのパチンコ球１３の検知により電子抽選を行って当たりに当選した場合には、当たりモードが終了するまでの間に各始動入賞センサ２６ａ〜２６ｃでパチンコ球１３が検知されたとしても電子抽選は行わない。
【００４３】
図柄抽選部６６は、電子抽選の結果に応じた図柄抽選を行い、図柄の変動表示後に停止させる図柄の停止パターンを決定する。また、図示は省略するが、制御部５０には演出画像抽選部も接続されている。そして、この演出画像抽選部により、電子抽選部６４による抽選結果が当たりであるかハズレであるかに基づいて、図柄変動表示中に図柄表示装置２０により表示される演出画像の抽選が行われ、演出画像が決定される。
【００４４】
次に、本実施形態のパチンコ機１０の作用について説明を行う。遊技者が発射ハンドル１１の回動操作を行うと、パチンコ球１３が１球ずつ遊技領域１５に打ち出される。パチンコ球１３は、遊技釘等の障害物に衝突しながら遊技領域１５を流下する。遊技領域１５に流下したパチンコ球１３は、始動入賞装置１６の入賞口２２又は通常入賞口１７のいずれに入球するか、これらに入球しなかった場合にはアウト球としてアウト口１８から排出される。
【００４５】
入賞口２２（球入口２７）に入球したパチンコ球１３は、その入球位置や内壁面２９ａとの衝突条件などに応じて球出口２８を通過後の落下位置が変わるため、球出口２８からバンク通路２４（流下面３２）上に落下する場合と、バンク通路２４の中央空間や外側の空間を落下する場合とがある。流下面３２上に落下しなかったパチンコ球１３は、アウト球としてアウト口１８から排出される。
【００４６】
流下面３２上に落下したパチンコ球１３は、流下面３２に沿って流下する。そして、流下面３２を流下するパチンコ球１３の通過が第１始動入賞センサ２６ａで検知されると、制御部５０からコマンドを受けて電子抽選部６４は電子抽選を１回行う。
【００４７】
以下、同様にパチンコ球１３の通過が第２及び第３始動入賞センサ２６ｂ、２６ｃで検知されたら、電子抽選部６４は電子抽選をそれぞれ１回行う。従って、流下面３２を流下するパチンコ球１３が各始動入賞センサ２６ａ〜２６ｃをそれぞれ通過するか否かで電子抽選が０〜３回行われる。また、上述したように電子抽選で当たりに当選したら、電子抽選部６４は、当たりモードが終了するまでの間にパチンコ球１３の通過が検知されたとしても電子抽選は行わない。流下面３２を流下して落下したパチンコ球１３も、アウト口１８から排出される。
【００４８】
以上のように本実施形態では、パチンコ球１３の流下面上衝突位置に応じて、パチンコ球１３が各始動入賞センサ２６ａ〜２６ｃをそれぞれ通過して電子抽選が行われたり、または通過する前に落下して電子抽選が行われなかったりする。その結果、遊技に意外性が生じるため、遊技への興趣を大いに高めることができる。
【００４９】
また、本実施形態では、球入口２７及び球出口２８の開口径Ｄ２，Ｄ３をパチンコ球１３の直径Ｄ１よりも十分に大きく形成している。これにより、球入口２７より入球したパチンコ球１３が案内通路部２９の内壁面２９ａに衝突したときの衝突条件に応じて、球出口２８を通過後のパチンコ球１３の落下位置が変化するため、パチンコ球１３をバンク通路２４上に落下させたり、バンク通路２４外に落下させたりすることができる。さらに、パチンコ球１３の落下位置の変化に応じて、パチンコ球１３の流下面上衝突位置が変化することで、同様に電子抽選が行われる場合と行われない場合とが生じる。その結果、遊技に意外性が生じて、遊技への興趣を大いに高めることができる。
【００５０】
また、本実施形態では、球出口２８の開口径Ｄ３を流下面３２の幅Ｗ１より大きく形成するようにしたので、入賞口２２に入球したパチンコ球１３をバンク通路２４（流下面３２）上に落下させたり、バンク通路２４外に落下させたりすることができる。その結果、同様に遊技に意外性が生じるため、遊技への興趣を大いに高めることができる。
【００５１】
また、本実施形態では、入賞口２２の球出口２８を球入口２７に対して偏心した位置に形成するようにしたので、両者を偏心させていない場合よりも球出口２８を通過後のパチンコ球１３の落下位置の予測が難しくなる。その結果、同様に遊技に意外性が生じるため、遊技への興趣を大いに高めることができる。
【００５２】
また、本実施形態では、バンク通路２４に沿って複数の第１〜第３始動入賞センサ２６ａ〜２６ｃを設けるようにしたので、流下面３２を流下するパチンコ球１３が各始動入賞センサ２６ａ〜２６ｃを全て通過した場合には、電子抽選が３回行われる。従って、遊技者は、パチンコ球１３が流下面３２から落下するまで高い期待感を持って遊技を行うことができる。
【００５３】
また、本実施形態では、第１〜第３始動入賞センサ２６ａ〜２６ｃを略Ｌ字型に形成しているので、上述したように複数のパチンコ球１３がほぼ同時にセンサを通過するような場合に、パチンコ球１３が詰まってしまうことが防止される。
【００５４】
また、本実施形態では、流下面３２（バンク通路２４）を螺旋状に形成したので、この流下面３２を螺旋状に流下するパチンコ球１３の動きを遊技者に見せることができる。その結果、遊技への興趣を大いに高めることができる。
【００５５】
なお、上記実施形態では、螺旋状の流下面３２の幅Ｗ１がほぼ一定の長さで形成されているが、本発明はこれに限定されるものではなく、パチンコ球１３が流下面３２に沿って流下するのに従って流下面３２の幅が次第に狭くなるようにしてもよい。これにより、パチンコ球１３が流下面３２の下端部３２ｂまで到達する確率を低くすることができる。また、同様に、パチンコ球１３が流下面３２に沿って流下するのに従って流下面３２の傾斜角度が大きくなるようにしてもよい。
【００５６】
また、上記実施形態では流下面３２上に特に障害物などは設けられていないが、本発明はこれに限定されるものではなく、流下面３２上に障害物や凹み部を設けるようにしてもよい。
【００５７】
なお、上記実施形態では、入賞口２２の球入口２７及び球出口２８は円形状に形成されているが、本発明はこれに限定されるものではなく、例えば楕円形状、多角形状などの各種形状に形成されていてもよい。また、球入口２７及び球出口２８が同じ形状である必要はなく、例えば球入口２７が四角形状に形成され、球出口２８が円形状に形成されていてもよい。また、入賞口２２の形状も皿形状に限定はされず、例えば箱形状などの各種形状に形成されていてもよい。
【００５８】
また、上記実施形態では、流下面３２を流下するパチンコ球１３が流下面３２から落下する位置は、基本的には流下面上衝突位置により変化すると説明したが、パチンコ球１３が流下面３２から落下する位置は、パチンコ球１３が流下面３２を流下する際の流下速度によっても変化する。この流下速度が速いほどパチンコ球１３に掛かる遠心力が強くなるため、パチンコ球１３が流下面３２に沿って流下する際に内側に移動し難くなり、パチンコ球１３が下端部３２ｂに到達する確率が高くなる。
【００５９】
逆にパチンコ球１３の流下速度が遅いと、パチンコ球１３に掛かる遠心力が弱くなるため、パチンコ球１３が流下する際に内側に移動し易くなり、パチンコ球１３が下端部３２ｂに到達する前に落下する確率が高くなる。パチンコ球１３の流下速度は、パチンコ球１３の流下面上衝突位置や、パチンコ球１３が流下面３２に衝突する際の衝突速度などに応じて変化する。
【００６０】
また、パチンコ球１３が流下面３２から落下する位置は、パチンコ球１３が内壁面２９ａに沿って球出口２８に進入する際の進入方向によっても変化する場合がある。上述したように、流下面３２は中心軸Ｃに向かって下り傾斜とされている。このため、パチンコ球１３の球出口２８への進入方向（球出口２８からの飛び出し方向）によっては、パチンコ球１３が流下面３２の下り傾斜に沿って転動して、流下面３２から落下する可能性が高くなる。
【００６１】
なお、上記実施形態では、バンク通路２４に沿って第１〜第３始動入賞センサ２６ａ〜２６ｃを設けているが、センサの数は特に限定はされない。
【００６２】
また、上記実施形態では、球入口２７の開口径Ｄ２がパチンコ球１３の直径Ｄ１の約５倍の大きさに形成され、球出口２８の開口径Ｄ３が直径Ｄ１の約３倍の大きさに形成され、さらに、流下面２３の幅Ｗ１が直径Ｄ１の約２倍の大きさに形成されている場合を例に挙げて説明を行ったが、本発明はこれに限定されるものではない。これら開口径Ｄ２、開口径Ｄ３、幅Ｗ１は、Ｄ２＞Ｄ３＞Ｗ１の関係を満たす範囲で適宜変更してもよい。
【００６３】
また、上記実施形態では、流路面３２（バンク通路２４）が中心軸Ｃ周りに螺旋形状に形成されているが、本発明はこれに限定されるものではない。例えば、図６に示す始動入賞装置７０のように、入賞口７２の球出口７４（遊技球通過口）の下方に設けられているバンク通路７６及びその流下面７８が、中心軸Ｃを中心として円環（リング）形状に形成されていてもよい。流下面７８は、その幅Ｗ２が球出口７４の開口径Ｄ４よりも小さく形成され、さらに、中心軸Ｃに向かって下り傾斜とされている。
【００６４】
球出口７４から流下面７８上に落下したパチンコ球１３は、流下面上衝突位置や、案内通路部７９の内壁面７９ａに沿って球出口７４に進入する際の進入方向及び進入速度などに応じて、流下面７８に沿って中心軸Ｃ周りに転動する場合と、流下面７８の下り傾斜に沿ってバンク通路７６の中央空間に落下する場合とがある。そして、パチンコ球１３が、流下面７８に沿って中心軸Ｃ周りに転動する場合には、パチンコ球１３の流下面上衝突位置や転動速度に応じて、パチンコ球１３が流下面７８から落下する位置が変化する。また、パチンコ球１３が流下面７８を周回する周回数も変化する。
【００６５】
バンク通路７６の途中には、上述の第１〜第３始動入賞センサ２６ａ〜２６ｂと同じタイプの始動入賞センサ８０が設けられている。従って、パチンコ球１３が、流下面７８を中心軸Ｃ周りに転動して始動入賞センサ８０を１回通過すると、電子抽選が１回行われる。そして、パチンコ球１３が、流下面７８を何周か周回した場合には、パチンコ球１３が始動入賞センサ８０を通過する回数に応じて、複数回の電子抽選が行われる。従って、流下面７８（バンク通路７６）を円環形状に形成した場合でも、遊技者は、パチンコ球１３が流下面７８から落下するまで高い期待感を持って遊技を行うことができる。
【００６６】
なお、上記実施形態では、流下面（バンク通路）を螺旋形状（図２参照）または円環形状（図６参照）に形成した場合を例に挙げて説明を行ったが、本発明はこれらに限定されるものではなく、流下面が中心軸周りで弧を描くように形成されていれば、流下面の形状は特に限定はされない。
【００６７】
また、上記実施形態では、入賞口２２の球入口２７と球出口２８とが偏心している場合を例に挙げて説明を行ったが、本発明はこれに限定されるものでなく、両者が偏心していなくてもよい。
【００６８】
なお、上記実施形態では、入賞口２２が略皿形状に形成されているため、球入口２７の開口径Ｄ２は球出口２８の開口径Ｄ３よりも大きく形成されているが、本発明はこれに限定されるものではなく、開口径Ｄ２と開口径Ｄ３とが同じ大きさであってもよい。つまり、入賞口（案内通路部）が略筒形状に形成されていてもよい。
【００６９】
また、上記実施形態では、パチンコ球１３の通過を磁気的に検知するタイプの始動入賞センサを例に挙げて説明を行ったが、本発明はこれに限定されるものではなく、例えば発光素子と受光素子とからなるフォトカプラ等の各種検知センサを用いてパチンコ球１３の通過を検出するようにしてもよい。
【図面の簡単な説明】
【００７０】
【図１】本発明のパチンコ機の外観斜視図である。
【図２】パチンコ機の始動入賞装置の外観斜視図である。
【図３】始動入賞装置の上面図である。
【図４】バンク通路及び始動入賞センサの断面図である。
【図５】パチンコ機の電気的構成を示すブロック図である。
【図６】バンク通路が円環状に形成された他の実施形態の始動入賞装置の上面図である。
【符号の説明】
【００７１】
１０  パチンコ機（弾球遊技機）
１３  パチンコ球（遊技球）
１５  遊技領域
１６  始動入賞装置
２２  入賞口（遊技球通過部）
２４  バンク通路
２４ａ  側端部（第２側端部）
２４ｂ  側端部（第１側端部）
２６ａ，２６ｂ，２６ｃ  第１、第２、第３始動入賞センサ（検知センサ）
２７  球入口
２８  球出口
２９  案内通路部
２９ａ  内壁面（壁面）
３２  流下面
３２ｂ  下端部
３６  センサ支持部
３８  センサ本体
５０  制御部
６４  電子抽選部
７０  始動入賞装置
７２  入賞口（遊技球通過部）
７４  球出口
７６  バンク通路
７８  流下面
７９  案内通路部
７９ａ  内壁面（壁面）
８０  始動入賞センサ（検知センサ）
【図１】
2008167923.tif 000003
【図２】
2008167923.tif 000004
【図３】
2008167923.tif 000005
【図４】
2008167923.tif 000006
【図５】
2008167923.tif 000007
【図６】
2008167923.tif 000008